(57)【要約】【課題】従来の外光の補正システムでは、観測者の眼が順応する表示装置の背面よりの光を正しく計測することが出来なかった。【解決手段】この発明にかかる表示装置は、表示装置の前面に設けられ、画像を表示する表示面であるディスプレイ１００と、表示装置の背面に設けられ、背面における照度を計測する第１の計測手段である照度センサ２と、照度センサ２における計測結果に応じて、ディスプレイ１００に表示する画像の輝度制御をする第１の制御手段である制御手段１０１を備える。【選択図】図１
2010181763.tif 000002
【特許請求の範囲】
【請求項１】
表示装置の前面に設けられ、画像を表示する表示面と、
前記表示装置の背面に設けられ、前記背面における照度を計測する第１の計測手段と、
前記第１の計測手段における計測結果に応じて、前記表示面に表示する前記画像の輝度制御をする第１の制御手段と、
を備える表示装置。
【請求項２】
前記表示装置の前面に設けられ、前記前面における照度を計測する第２の計測手段をさらに備え、
前記第１の制御手段は、前記第１および前記第２の計測手段の少なくとも一方における計測結果に応じて、前記表示面に表示する前記画像の輝度制御をする、
請求項１に記載の表示装置。
【請求項３】
前記第１の制御手段は、前記第１および前記第２の計測手段の少なくとも一方における計測結果に応じて、前記表示面に表示する前記画像の黒レベル制御をする、
請求項２に記載の表示装置。
【請求項４】
前記画像の平均輝度階調レベルを計測する手段をさらに備え、
前記第１の制御手段は、前記平均輝度階調レベルに応じて、前記表示面に表示する前記画像の輝度制御をする、
請求項１〜３のいずれかに記載の表示装置。
【請求項５】
前記平均輝度階調レベルに応じた第１の制御値の設定に用いる第１および第２の参照テーブルをさらに備え、
前記第１および前記第２の参照テーブルは、前記第１および前記第２の計測手段の少なくとも一方の計測結果に応じて選択され、
前記第１の制御手段は、選択された前記第１および前記第２の参照テーブルにおいて設定された前記第１の制御値にも応じて、前記表示面に表示する前記画像の輝度制御をする、
請求項４に記載の表示装置。
【請求項６】
前記第１の制御手段は、前記第１および前記第２の計測手段の少なくとも一方の計測結果に応じて、前記表示面に表示する前記画像のガンマ制御をする、
請求項２〜５のいずれかに記載の表示装置。
【請求項７】
前記第１の制御手段は、前記第１および前記第２の計測手段の少なくとも一方の計測結果に応じて、前記表示面に表示する前記画像の彩度制御をする、
請求項２〜６のいずれかに記載の表示装置。
【請求項８】
前記輝度制御、前記黒レベル制御、前記ガンマ制御、前記彩度制御の少なくともいずれかの制御での第２の制御値の設定に用いる第３および第４の参照テーブルをさらに備え、
前記第１および前記第２の計測手段は、前記第３および前記第４の参照テーブルに交換可能に対応づけられ、
前記第１の制御手段は、前記第３および前記第４の参照テーブルにおいて設定された前記第２の制御値により前記輝度制御、前記黒レベル制御、前記ガンマ制御、前記彩度制御の少なくともいずれかの制御をする、
請求項２〜７のいずれかに記載の表示装置。
【請求項９】
前記第２の計測手段での計測結果から、前記前面における反射輝度を計算する計算手段をさらに備え、
前記第１の制御手段は、前記第１の計測手段、前記計算手段の少なくとも一方の結果に応じて、前記表示面に表示する前記画像の前記輝度制御、前記黒レベル制御、前記ガンマ制御、前記彩度制御をする、
請求項２〜８のいずれかに記載の表示装置。
【請求項１０】
前記第１および前記第２の計測手段の少なくとも一方の機能の有効、無効を切り替える第１の切り替え手段をさらに備える、
請求項２〜９のいずれかに記載の表示装置。
【請求項１１】
前記第１の切り替え手段において無効とした前記第１または前記第２の計測手段に対応する制御値は、予め定めた固定値とする、
請求項１０に記載の表示装置。
【請求項１２】
前記表示面と外部の照明源との位置関係を示す情報を設定する設定手段をさらに備える、
請求項８に記載の表示装置。
【請求項１３】
前記設定手段は、前記表示面と外壁との距離を示す情報をも設定する、
請求項１２に記載の表示装置。
【請求項１４】
前記表示面と前記外部の照明源との位置関係と、前記表示面と前記外壁との距離に応じて、前記第１の制御手段における動作モードの制御設定を切り替える第２の切り替え手段をさらに備える、
請求項１３に記載の表示装置。
【請求項１５】
前記制御設定は、前記第１および第２の計測手段と前記第３および第４の参照テーブルとの対応を切り替える制御設定である、
請求項１４に記載の表示装置。
【請求項１６】
請求項１〜１５のいずれかに記載の表示装置を複数備える表示システムにおいて、
前記複数の前記表示装置における１つの表示装置は、前記１つの表示装置の少なくとも前記第１の計測手段、または前記第１の計測手段と前記第２の計測手段とにおける照度の計測結果を、他の前記表示装置に配信する配信手段を有し、
前記複数の前記表示装置における他の表示装置は、前記配信された照度の計測結果に応じて、前記他の表示装置の前記表示面に表示する前記画像の輝度制御をする第２の制御手段を有する、
表示システム。
【請求項１７】
請求項１〜１５のいずれかに記載の表示装置を複数備える表示システムにおいて、
前記複数の前記表示装置における１つの表示装置は、
前記複数の前記表示装置における他の表示装置の少なくとも前記第１の計測手段、または前記第１の計測手段と前記第２の計測手段とにおける照度の計測結果を取得する取得手段と、
前記取得手段において取得した計測結果と、前記１つの表示装置における前記第１、第２の計測手段計測結果とに応じて、前記複数の前記表示装置の前記表示面に表示する前記画像の輝度制御をする第３の制御手段を有する、
表示システム。
【発明の詳細な説明】
【技術分野】
【０００１】
本発明は、設置環境の照度や表示画像の内容に従い、輝度調整の手段を提供する表示装置および表示システムに関する。
【背景技術】
【０００２】
従来の表示装置において、ディスプレイの輝度調整を行うシステムは、図２０に示すような構成であり、図において当該システムは、液晶パネル４１、液晶パネル４１に取り付けられたバックライトモジュール４２は、複数のＣＣＦＬ（Ｃｏｌｄ  Ｃａｔｈｏｄｅ  Ｆｌｕｏｒｅｓｃｅｎｔ  Ｌａｍｐ）により構成されている。バックライトモジュール４２に接続されたインバータ回路４３は、バックライトモジュール４２を駆動する。またインバータ回路４３に駆動電力を供給する電源回路４４、インバータ回路４３にその出力が接続された制御回路４５を示す。制御回路４５はインバータ回路４３に出力される駆動波形のパルス幅および周波数を制御し、電源からインバータへ投入される電力を制御することにより、画面の輝度を制御する。
【０００３】
ここで、画面輝度設定はリモートコントローラ等の外部よりの通信手段や押しボタン等による入力設定に従ってユーザにより任意に設定され、その設定値はコントローラ内部の不揮発性メモリへ保存される。
【０００４】
この場合、外光の影響等により使用環境におけるディスプレイの周辺照度が変化した場合に、人間の眼が周辺の環境に順応することにより、結果的に視認性が低下し、かつ、必要以上に輝度が明るくなる場合には、加えて無駄に電力を消費するというような課題があった。
【０００５】
上記の課題の解決策として、ディスプレイの表面側の周囲の明るさを計測し、自動的にディスプレイの輝度を調節するシステム（例えば、特許文献１参照）や、液晶表示パネル側の照度に加え、リモコンにおける照度を測定して併せて制御に用いるシステム（例えば、特許文献２参照）や、複数のセンサを画面の周辺に設置し制御に用いるシステム（例えば特許文献３参照）がある。
【先行技術文献】
【特許文献】
【０００６】
【特許文献１】特開平９−１４６０７３号公報
【特許文献２】特開２００６−７２２５５号公報
【特許文献３】特開２００７−３１００９６号公報
【発明の概要】
【発明が解決しようとする課題】
【０００７】
上記のシステムは、ディスプレイの表示面または表示面の周辺に照度センサを設けており、ディスプレイの表示面に入射する光を直接測定する、または、ディスプレイの表示面と離れた場所の照度を測定する手段を設けているが、実際の使用者（観測者）の眼が順応するのは図２１に示すように、ディスプレイの表示面に入射する光ではなく、ディスプレイの背面を中心とした方向から入射される光（背景）に対してであると考えられる。
【０００８】
よって、ディスプレイの表示面にセンサを設置する場合は、外光の変化に適応した的確な制御が困難である可能性もある。
【０００９】
例えば、図２２に示すように、情報表示用の大型ディスプレイが建物の窓際に天釣り状態で設置されているケースは、窓から入射する外光に対して観測者の眼は順応するが、建物の室内の光源に順応する訳では無い。観測者の視野に占めるディスプレイの表示面の割合が比較的小さい場合、つまり、公共表示用途のディスプレイの殆どの設置環境において、観測者の眼はディスプレイ表示面への入射光の反射光（通常の反射率５％以下）に順応することは無く、背面の壁からの反射光や背面にある窓からの外光等に順応するものと考える方が自然である（図２１）。
【００１０】
よって、従来の表示装置では、環境光の影響を的確に把握し適応することが出来ないという問題があった。
【００１１】
また、複数の表示装置を用いて単一の大きな画面を構成するシステムにおいて、個々のディスプレイが個別に外光補正動作を行う場合には、外光計測用のセンサのバラつきや設置位置の差異によりそれぞれのディスプレイの輝度制御に差異（ムラ）が発生することがあるという問題があった。
【００１２】
本発明は、上記問題を解決するためになされたもので、環境光の影響を的確に把握しそれに適応した制御をし、またディスプレイの輝度ムラのない輝度制御をする表示装置を提供することを目的とする。
【課題を解決するための手段】
【００１３】
この発明にかかる表示装置は、表示装置の前面に設けられ、画像を表示する表示面と、前記表示装置の背面に設けられ、前記背面における照度を計測する第１の計測手段と、前記第１の計測手段における計測結果に応じて、前記表示面に表示する前記画像の輝度制御をする第１の制御手段を備える。
【発明の効果】
【００１４】
この発明によれば、表示装置において、表示装置の前面に設けられ、画像を表示する表示面と、前記表示装置の背面に設けられ、前記背面における照度を計測する第１の計測手段と、前記第１の計測手段における計測結果に応じて、前記表示面に表示する前記画像の輝度制御をする第１の制御手段を備えることにより、表示面の背面よりの入射光を計測し適応した輝度制御を行い、観測者の眼の適応状態に対応した輝度制御が可能となる。
【図面の簡単な説明】
【００１５】
【図１】この発明の実施の形態１を示す表示装置のシステム構成図である。
【図２】本発明の実施の形態１における照度センサの設置位置を示す図である。
【図３】本発明の実施の形態１におけるマルチモニタ設置例を示す図である。
【図４】本発明の実施の形態１におけるマルチモニタ設置時の通信線接続例を示す図である。
【図５】本発明の実施の形態１における外光補正動作パラメータ設定用のＯＳＤメニュー例を示す図である。
【図６】本発明の実施の形態１における外光補正処理の全体の動作を示すフローチャートである。
【図７】本発明の実施の形態１における外光補正処理の動作モード１の動作を示すフローチャートである。
【図８】本発明の実施の形態１における外光補正処理の動作モード２の動作を示すフローチャートである。
【図９】本発明の実施の形態１における外光補正処理の動作モード３の動作を示すフローチャートである。
【図１０】本発明の実施の形態１における外光補正処理の動作モード４の動作を示すフローチャートである。
【図１１】本発明の実施の形態１における外光補正処理の動作モード５の動作を示すフローチャートである。
【図１２】本発明の実施の形態１におけるＡＰＬ対応輝度補正処理の動作を示すフローチャートである。
【図１３】本発明の実施の形態１におけるＡＰＬ対応輝度補正処理の動作を示すフローチャートである。
【図１４】本発明の実施の形態１における画質制御パラメータ出力制御処理の動作を示すフローチャートである。
【図１５】本発明の実施の形態２における通信機能設定用のＯＳＤメニュー例を示す図である。
【図１６】本発明の実施の形態２における群制御処理の全体の動作を示すフローチャートである。
【図１７】本発明の実施の形態２における群制御処理におけるＭＡＳＴＥＲ表示装置の動作を示すフローチャートである。
【図１８】本発明の実施の形態２における群制御処理におけるＳＬＡＶＥ表示装置の動作を示すフローチャートである。
【図１９】この発明の実施の形態３を示す表示装置のシステム構成図である。
【図２０】従来の輝度制御システムを示す構成図である。
【図２１】従来の情報表示用大型ディスプレイの設置環境と観測者の視環境との関連の例を示す模式図である。
【図２２】従来の情報表示用大型ディスプレイの外光変化の例を示す図である。
【発明を実施するための形態】
【００１６】
＜Ａ．実施の形態１＞
＜Ａ−１．構成＞
図１はこの発明の実施の形態１の構成を示す構成図である。本発明による表示装置の輝度調整システムは、表示装置に備えられた表示面であるディスプレイ側に少なくとも１個設置された第２の計測手段である照度センサ１と、表示装置のディスプレイの裏面（背面）側に少なくとも１個設置された第１の計測手段である照度センサ２と、前面に設置された照度センサ１の出力から、ディスプレイにおける反射輝度を計算する計算手段３と、前面および背面のそれぞれの照度センサ１，２をメインセンサ・サブセンサとして選択する切り替え手段４と、メインセンサおよびサブセンサのそれぞれの出力結果より各補正パラメータの補正係数を求めるテーブルである、輝度メイン参照テーブル５ａ，輝度サブ参照テーブル５ｂ，黒レベルメイン参照テーブル６ａ，黒レベルサブ参照テーブル６ｂ，彩度メイン参照テーブル７ａ，彩度サブ参照テーブル７ｂと、表示画像の平均輝度階調レベルを求めるＡＰＬ（ＡＰＬ：  Ａｖｅｒａｇｅ  Ｐｉｃｔｕｒｅ  Ｌｕｍｉｎａｎｃｅ）計測手段８と、求められた平均輝度階調レベルよりディスプレイの輝度の補正パラメータを求めるテーブルである明環境ＡＰＬ参照テーブル９ａ，暗環境ＡＰＬ参照テーブル９ｂと、環境の条件からそれらのテーブルを選択する選択手段１０と、各テーブルより求められた各補正パラメータを用いて、輝度、黒レベル、彩度の各パラメータに補正を加え制御する第１の制御手段としての制御手段１０１（輝度制御手段、黒レベル制御手段、彩度制御手段）とを備えている。輝度制御手段は、輝度計算手段１１，１４，１５を備えるものであり、黒レベル制御手段は、黒レベル計算手段１２，１６を備えるものであり、彩度制御手段は、彩度計算手段１３，１７を備えるものである。なお、本構成は一例であり、本発明においては照度センサ２が少なくとも備わる表示装置であることが必要となる。
【００１７】
図１において、照度センサ１に備えられたセンサ部１ａ，変換部１ｂおよびＡＰＬ計測手段８は通常ハードウエアにて実装され、照度センサ２も同様であり、他の要素は制御用コンピュータのソフトウエア処理にて実装される。図において照度センサ１は表示装置の前面（ディスプレイ）に備えられ、センサ部１ａの物理的な計測値を照度値に変換する変換部１ｂ（計算式またはテーブル）を備えている。計算手段３は、前面の照度センサ１が計測した表示面への入射光によるディスプレイ表示面における反射光の反射輝度を入射光の照度より計算する手段である。計算手段３は、ソフトウエアにて実装することも可能で、バイパスする（使用しない）ことも可能である。
【００１８】
照度センサ２はディスプレイの背面に設置され、これも照度センサ１と同様にセンサ部２ａの物理的な計測値を照度値に変換する変換部２ｂ（計算式またはテーブル）を備えている。
【００１９】
第２の切り替え手段としての切り替え手段４は前面および背面のセンサ１，２の計測結果の適用先を切り替えたり、計測機能をオフさせるために切り替える手段である。
【００２０】
輝度メイン参照テーブル５ａおよび輝度サブ参照テーブル５ｂは前面または背面の輝度または照度値よりバックライト輝度の補正係数を参照するための参照テーブルであり、動作設定の状態に応じて照度センサ１，２との対応が変化する。
【００２１】
黒レベルメイン参照テーブル６ａおよび黒レベルサブ参照テーブル６ｂは前面または背面の輝度または照度値より表示の黒レベルの補正係数を参照するための参照テーブルであり、動作設定の状態に応じて照度センサ１，２との対応が変化する。
【００２２】
彩度メイン参照テーブル７ａおよび彩度サブ参照テーブル７ｂは前面または背面の輝度または照度値より表示の彩度の補正係数を参照するための参照テーブルであり、動作設定の状態に応じて照度センサ１，２との対応が変化する。
【００２３】
輝度計算手段１１は輝度メイン参照テーブル５ａおよび輝度サブ参照テーブル５ｂにて求められたバックライト輝度補正係数を重み掛け加算し、バックライト輝度補正値を求めるための計算手段である。
【００２４】
黒レベル計算手段１２は黒レベルメイン参照テーブル６ａおよび黒レベルサブ参照テーブル６ｂにて求められた黒レベル補正係数を重み掛け加算し、黒レベル補正値を求めるための計算手段である。
【００２５】
彩度計算手段１３は彩度メイン参照テーブル７ａおよび彩度サブ参照テーブル７ｂにて求められた彩度補正係数を重み掛け加算し、彩度補正値を求めるための計算手段である。
【００２６】
ＡＰＬ計測手段８は表示装置に入力される表示画像データの平均輝度（ＡＰＬ：  Ａｖｅｒａｇｅ  Ｐｉｃｔｕｒｅ  Ｌｕｍｉｎａｎｃｅ）階調レベルを計測するための手段であり、明環境ＡＰＬ参照テーブル９ａ，および暗環境ＡＰＬ参照テーブル９ｂは、ＡＰＬ計測手段８の計測結果に基づきバックライト輝度補正パラメータを求める参照テーブルまたは計算式であり、複数備えられている。選択手段１０は複数の参照テーブル９ａ，９ｂの内のいずれかを選択、または手段そのものを無効化する選択手段であり、輝度計算手段１４は選択手段１０の出力と輝度計算手段１１の出力と掛け算し、バックライト輝度補正値を求めるための計算手段である。
【００２７】
輝度計算手段１５は輝度計算手段１４の出力とユーザ調整のバックライト制御パラメータから、バックライト輝度補正値を求めるための計算手段である。
【００２８】
黒レベル計算手段１６は黒レベル計算手段１２の出力とユーザ調整の黒レベル制御パラメータから、黒レベル補正値を求めるための計算手段である。
【００２９】
彩度計算手段１７は彩度計算手段１３の出力とユーザ調整の彩度制御パラメータから、彩度補正値を求めるための計算手段である。
【００３０】
図２は本発明の実施の形態における照度センサの取り付け位置を示す図である。本実施の形態１においては、例えば図２に示すようなディスプレイ１００の前面（表示面が設けられた側）およびディスプレイの背面にそれぞれ１箇所ずつ、図１における照度センサ１，２が取り付けられている。
【００３１】
図３は本実施の形態におけるマルチモニタ接続時の設置例を示す。図において、９面の表示装置を組み合わせて一つの大画面を構成する。それぞれの表示装置に個別のＩＤを備えており、ＩＤは表示装置に備わったオンスクリーンディスプレイ（ＯＳＤ）機能等により、予めそれぞれ個別のＩＤ（数値）が設定されている。
【００３２】
図４は図３の構成における通信手段の接続方法を示す図であり、ＲＳ２３２ＣやＵＳＢ等の通信手段によりそれぞれの入出力端子がデイジーチェイン状に接続されている。
【００３３】
＜Ａ−２．動作＞
＜Ａ−２−１．表示装置の動作＞
次に、実施の形態１の動作について、説明する。
【００３４】
図６は本発明の実施の形態１の動作を示すフローチャートである。以下図に従って動作を説明する。本動作は表示装置に組み込まれたマイクロコントローラのファームウエアにて実装されている。
【００３５】
ユーザは表示装置の設置時等において図５に示すようなＯＳＤメニュー５０を用いて、前面と背面に設置されたセンサの有効・無効（ＯＮ／ＯＦＦ）設定（図中、第１の切り替え手段としての、前面照度センサ１のＯＮ／ＯＦＦ切り替え５３、背面照度センサ２のＯＮ／ＯＦＦ切り替え５４）、表示装置の背面側に照明または外光の光源（照明機器や窓等）が存在するか否か（図中、設定手段としての外光設定５１）、ディスプレイと壁面との距離（例えば、背面側の壁面との距離が表示装置のサイズの３倍以上遠いか、短いか。図中、設定手段としての距離設定５２）、彩度補正の有無（彩度補正のＯＮ／ＯＦＦ切り替え５５）、ＡＰＬ補正の切り替え（ＡＰＬ切り替え５６）を予め設定する。
【００３６】
本動作においては、前述の設定内容に従って、処理のモード（図６中のＭＯＤＥ１〜ＭＯＤＥ５）の動作を切り替える。
【００３７】
先ず、前面照度センサ１のＯＮ／ＯＦＦ切り替え５３にて設定の前面センサの有効・無効設定を確認する（ステップＳＴ１）。結果、有効の場合はステップＳＴ２へ、無効の場合はステップＳＴ９へそれぞれ進み、背面照度センサ２のＯＮ／ＯＦＦ切り替え５４にて設定された背面センサの有効・無効設定を確認する。ステップＳＴ２にて背面センサが無効と判定された場合はステップＳＴ８へ進み、動作モードをＭＯＤＥ３とし、ＭＯＤＥ３の処理を行う。ステップＳＴ２にて背面センサがＯＮと判定された場合は、ステップＳＴ３にて外光設定５１にて表示装置の背面側の光源の有無の設定を確認し、背面側に光源がある場合は、ステップＳＴ４に進みＭＯＤＥ１の処理を行う。ステップＳＴ３にて背面側に光源が無い場合は、ステップＳＴ５に進み距離設定５２で設定されたディスプレイ背面と壁面の距離設定を判定し、遠い場合はステップＳＴ６へ進みＭＯＤＥ２の処理を行い、近い場合はステップＳＴ７へ進みＭＯＤＥ１の処理を行う。
【００３８】
ステップＳＴ９にて背面センサが有効と判断された場合は、ステップＳＴ１０に進みＭＯＤＥ４の処理を行い、無効と判定された場合はステップＳＴ１１に進み、ＭＯＤＥ５の処理を行う。
【００３９】
ＭＯＤＥ１〜ＭＯＤＥ５のそれぞれの処理が終了したら、ステップＳＴ１２へ進み画像の入力平均輝度（ＡＰＬ）階調レベルに従った輝度補正処理を行い、次にステップＳＴ１３の上記処理にて決定された各補正パラメータ対応の輝度・黒レベルおよび彩度制御設定の出力処理を行う。
【００４０】
＜Ａ−２−２．各処理における動作＞
以下各処理（ＭＯＤＥ１〜５）の内容について説明する。
【００４１】
図７はＭＯＤＥ１の動作を示すフローチャートである。図において、先ず前面の照度センサ１の計測データを読む（ステップＳＴ４−１）。次に前面の照度センサ１の計測データより照度を求める（ステップＳＴ４−２）。
【００４２】
このときは、前面の照度センサ１の計測値に光学系や検出（増幅）回路のゲイン等を考慮した一定の係数を掛けることで照度値とする。
【００４３】
次にステップＳＴ４−２で得られた照度値と、ディスプレイ表示面の視感反射率を用いて、ディスプレイ表示面の反射輝度を求める（ステップＳＴ４−３）。
【００４４】
例えば、ディスプレイ表示面が完全拡散面（ノングレア処理等）でかつ表示面の視感反射率が５％と過程した場合の反射輝度は、反射輝度＝計測照度／π×０．０５、のように近似される（例えば、照度３００ｌｕｘの場合はおよそ５ｃｄ／ｍ2）。実際の運用では前述の式に一定の補正係数を掛けて計算する。
【００４５】
次に、ステップＳＴ４−４に進み、ステップＳＴ４−３にて求められた反射輝度より、前面がサブである場合の輝度サブ参照テーブル５ｂを用いてバックライト輝度補正係数１を求める。同様に前面がサブである場合の黒レベルサブ参照テーブル６ｂを用いて黒レベル補正係数１を求める（ステップＳＴ４−５）。加えて、前面がサブである場合の彩度サブ参照テーブル７ｂを用いて彩度補正係数１を求める（ステップＳＴ４−６）。
【００４６】
次に、ステップＳＴ４−７に進み、背面の照度センサ２の計測データを読み、ステップＳＴ４−８にて計測値に光学系や検出（増幅）回路のゲイン等を考慮した一定の係数を掛けることで照度値とする。
【００４７】
次にステップＳＴ４−８にて求められた照度より背面がメインである場合の輝度メイン参照テーブル５ａを用いてバックライト輝度補正係数２を求める（ステップＳＴ４−９）。同様に背面がメインである場合の黒レベルメイン参照テーブル６ａを用いて黒レベル補正係数２を求める（ステップＳＴ４−１０）。加えて、背面がメインである場合の彩度メイン参照テーブル７ａを用いて彩度補正係数２を求める（ステップＳＴ４−１１）。
【００４８】
以上でＭＯＤＥ１の処理は終了し、ステップＳＴ１２へ進む。
【００４９】
図８はＭＯＤＥ２の動作を示すフローチャートである。図において、先ず前面の照度センサ１の計測データを読む（ステップＳＴ６−１）。次に前面の照度センサ１の計測データより照度を求める（ステップＳＴ６−２）。
【００５０】
このときは、前面の照度センサ１の計測値に光学系や検出（増幅）回路のゲイン等を考慮した一定の係数を掛けることで照度値とする。
【００５１】
次に、ステップＳＴ６−３に進み、ステップＳＴ６−２にて求められた照度より前面がメインである場合の輝度メイン参照テーブル５ａを用いてバックライト輝度補正係数２を求める。同様に前面がメインである場合の黒レベルメイン参照テーブル６ａを用いて黒レベル補正係数２を求める（ステップＳＴ６−４）。加えて、前面がメインである場合の彩度メイン参照テーブル７ａを用いて彩度補正係数２を求める（ステップＳＴ６−５）。
【００５２】
次に、ステップＳＴ６−６に進み、背面の照度センサ２の計測データを読み、ステップＳＴ６−７にて計測値に光学系や検出（増幅）回路のゲイン等を考慮した一定の係数を掛けることで照度値とする。
【００５３】
次にステップＳＴ６−７にて求められた照度より背面がサブである場合の輝度サブ参照テーブル５ｂを用いてバックライト輝度補正係数１を求める（ステップＳＴ６−８）。同様に背面がサブである場合の黒レベルサブ参照テーブル６ｂを用いて黒レベル補正係数１を求める（ステップＳＴ６−９）。加えて、背面がサブである場合の彩度サブ参照テーブル７ｂを用いて彩度補正係数１を求める（ステップＳＴ６−１０）。
【００５４】
以上でＭＯＤＥ２の処理は終了し、ステップＳＴ１２へ進む。
【００５５】
図９はＭＯＤＥ３の動作を示すフローチャートである。
【００５６】
この場合は、背面の照度センサ２は無効となっているので、背面の照度センサ２にて制御されるべきパラメータが補正なしの状態となるよう固定値をそれぞれ設定する。
【００５７】
先ず、ステップＳＴ８−１にてバックライト輝度補正係数１に固定値を設定し、次にステップＳＴ８−２にて黒レベル補正係数１に固定値を設定し、次にステップＳＴ８−３にて彩度補正係数１に固定値を設定する。
【００５８】
次に、ステップＳＴ８−４に進み、前面の照度センサ１の計測データを読み、ステップＳＴ８−５にて計測値に光学系や検出（増幅）回路のゲイン等を考慮した一定の係数を掛けることで照度値とする。
【００５９】
次にステップＳＴ８−５にて求められた照度より前面がメインである場合の輝度メイン参照テーブル５ａを用いてバックライト輝度補正係数２を求める（ステップＳＴ８−６）。同様に前面がメインである場合の黒レベルメイン参照テーブル６ａを用いて黒レベル補正係数２を求める（ステップＳＴ８−７）。次に、前面がメインである場合の彩度メイン参照テーブル７ａを用いて彩度補正係数２求める（ステップＳＴ８−８）。
【００６０】
以上でＭＯＤＥ３の処理は終了し、ステップＳＴ１２へ進む。
【００６１】
図１０はＭＯＤＥ４の動作を示すフローチャートである。
【００６２】
この場合は、前面の照度センサ１は無効となっているので、前面の照度センサ１にて制御されるべきパラメータが補正なしの状態となるよう固定値をそれぞれ設定する。
【００６３】
先ず、ステップＳＴ１０−１にてバックライト輝度補正係数１に固定値を設定し、次にステップＳＴ１０−２にて黒レベル補正係数１に固定値を設定し、次にステップＳＴ１０−３にて彩度補正係数１に固定値を設定する。
【００６４】
次に、ステップＳＴ１０−４に進み、背面の照度センサ２の計測データを読み、ステップＳＴ１０−５にて計測値に光学系や検出（増幅）回路のゲイン等を考慮した一定の係数を掛けることで照度値とする。
【００６５】
次にステップＳＴ１０−５にて求められた照度より背面がメインである場合の輝度メイン参照テーブル５ａを用いてバックライト輝度補正係数２を求める（ステップＳＴ１０−６）。同様に背面がメインである場合の黒レベルメイン参照テーブル６ａを用いて黒レベル補正係数２を求める（ステップＳＴ１０−７）。次に、背面がメインである場合の彩度メイン参照テーブル７ａを用いて彩度補正係数２求める（ステップＳＴ１０−８）。
【００６６】
以上でＭＯＤＥ４の処理は終了し、ステップＳＴ１２へ進む。
【００６７】
図１１はＭＯＤＥ５の動作を示すフローチャートである。
【００６８】
この場合は、前面の照度センサ１，背面の照度センサ２共にそれぞれ無効となっているので、両センサにて制御されるべきパラメータが補正なしの状態となるよう固定値をそれぞれ設定する。
【００６９】
先ず、ステップＳＴ１１−１にてバックライト輝度補正係数１に固定値を設定し、次にステップＳＴ１１−２にて黒レベル補正係数１に固定値を設定し、次にステップＳＴ１１−３にて彩度補正係数１に固定値を設定する。
【００７０】
次に、ステップＳＴ１１−４にてバックライト輝度補正係数２に固定値を設定し、次にステップＳＴ１１−５にて黒レベル補正係数２に固定値を設定し、次にステップＳＴ１１−６にて彩度補正係数１に固定値を設定する。
【００７１】
以上でＭＯＤＥ５の処理は終了し、ステップＳＴ１２へ進む。
【００７２】
図１２、図１３は画像データの平均輝度（ＡＰＬ）階調レベルに対応してバックライト制御を行う動作を示すフローチャートである。ここでは、表示装置が設置された照度環境に従って、ＡＰＬ対応の輝度補正パラメータ参照用テーブルである明環境ＡＰＬ参照テーブル９ａと暗環境ＡＰＬ参照テーブル９ｂとを切り替える。
【００７３】
図において、ステップＳＴ１２−０にて図５のＡＰＬ切り替え５６にて設定したＡＰＬ制御の有効・無効設定にて無効と設定されている場合は、ステップＳＴ１２−８へ進み、ＡＰＬによる輝度補正無しとするバックライト輝度補正パラメータを設定する。
【００７４】
ＡＰＬ制御の有効・無効設定にて有効と設定されている場合は、ステップＳＴ１２−１にてＡＰＬを測定する。
【００７５】
次に、図５の背面照度センサ２のＯＮ／ＯＦＦ切り替え５４にて設定した背面センサの有効・無効設定を参照し（ステップＳＴ１２−２）、背面センサが有効の場合は、ステップＳＴ１２−３に進み、背面照度値が一定値以上の場合は、表示装置の設置環境が明環境と判断し、ステップＳＴ１２−６へ進む。背面照度値が一定値未満の場合は、表示装置の設置環境が暗環境と判断し、ステップＳＴ１２−７へ進む。
【００７６】
ステップＳＴ１２−２にて背面センサが無効の場合は、ステップＳＴ１２−４に進み、図５の前面照度センサ１のＯＮ／ＯＦＦ切り替え５３にて設定した前面センサの有効・無効設定を参照し、前面センサが有効の場合は、ステップＳＴ１２−５に進み、前面照度値が一定値以上の場合は、表示装置の設置環境が明環境と判断し、ステップＳＴ１２−６へ進む。前面の照度値が一定値未満の場合は、表示装置の設置環境が暗環境と判断し、ステップＳＴ１２−７へ進む。
【００７７】
ステップＳＴ１２−６においては、明環境に対応し、ＡＰＬの測定結果に基づき明環境ＡＰＬ参照テーブル９ａを参照し、バックライト輝度パラメータを求める。
【００７８】
ステップＳＴ１２−７においては、暗環境に対応し、ＡＰＬの測定結果に基づき暗環境ＡＰＬ参照テーブル９ｂを参照し、バックライト輝度パラメータを求める。
【００７９】
以上でＡＰＬによるバックライト輝度補正処理は終了し、ステップＳＴ１３へ進む。
【００８０】
図１４はステップＳＴ１３のパラメータ出力処理を示すフローチャートである。
【００８１】
ステップＳＴ１３−１にて以下の計算式に基づきバックライト輝度補正値として設定する値を計算し、結果を輝度制御手段における出力とする。
【００８２】
ＢＲＩＧＨＴＮＥＳＳ＝（Ｋ１×ＢＬ＿ＣＯＲ１＋Ｋ２×ＢＬ＿ＣＯＲ２）×ＡＰＬ＿ＣＯＮ×ＵＳＥＲ＿ＢＲＩＧＨＴＮＥＳＳ
ここで、
ＢＲＩＧＨＴＮＥＳＳ：バックライト輝度補正値（値：０〜２５５）
ＢＬ＿ＣＯＲ１：バックライト補正係数１
ＢＬ＿ＣＯＲ２：バックライト補正係数２
ＡＰＬ＿ＣＯＮ：ＡＰＬによるバックライト制御パラメータ
ＵＳＥＲ＿ＢＲＩＧＨＴＮＥＳＳ：ユーザ調整のバックライト制御パラメータ
Ｋ１，Ｋ２：定数、である。
【００８３】
ステップＳＴ１３−２にて以下の計算式に基づき黒レベル補正値として設定する値を計算し、結果を黒レベル制御手段における出力とする。
【００８４】
ＢＬＫ＿ＬＥＶＥＬ＝（Ｌ１×ＢＬＫ＿ＣＯＲ１＋Ｌ２×ＢＬＫ＿ＣＯＲ２）＋ＵＳＥＲ＿ＢＬＫ＿ＬＥＶＥＬ
ここで、
ＢＬＫ＿ＬＥＶＥＬ：黒レベル補正値（値：０〜２５５）
ＢＬＫ＿ＣＯＲ１：黒レベル補正係数１
ＢＬＫ＿ＣＯＲ２：黒レベルの補正係数２
ＵＳＥＲ＿ＢＬＫ＿ＬＥＶＥＬ：ユーザ調整の黒レベル制御パラメータ
Ｌ１，Ｌ２：定数、である。
【００８５】
次に、ステップＳＴ１３−３にて図５の彩度補正のＯＮ／ＯＦＦ切り替え５５にて設定した彩度補正の有効・無効設定内容を参照し、彩度補正が有効の場合はステップＳＴ１３−４に進み、以下の計算式に基づき彩度補正値として設定する値を計算し、結果を彩度制御手段における出力とする。
【００８６】
ＳＡＴＵＲＡＴＩＯＮ＝（Ｍ１×ＳＡＴ＿ＣＯＲ１＋Ｍ２×ＳＡＴ＿ＣＯＲ２）＋ＵＳＥＲ＿ＳＡＴＵＲＡＴＩＯＮ
ここで、
ＳＡＴＵＲＡＴＩＯＮ：彩度補正値（値：０〜２５５）
ＳＡＴ＿ＣＯＲ１：彩度補正係数１
ＳＡＴ＿ＣＯＲ２：彩度補正係数２
ＵＳＥＲ＿ＳＡＴＵＲＡＴＩＯＮ：ユーザ調整の彩度制御パラメータ
Ｍ１，Ｍ２：定数、である。
【００８７】
ステップＳＴ１３−３にて彩度補正が無効の場合はステップＳＴ１３−５に進み、以下の計算式に基づき彩度補正値を計算し、結果を彩度制御手段における出力とする。
【００８８】
ＳＡＴＵＲＡＴＩＯＮ＝ＵＳＥＲ＿ＳＡＴＵＲＡＴＩＯＮ
ここで、
ＳＡＴＵＲＡＴＩＯＮ：彩度補正値（値：０〜２５５）
ＵＳＥＲ＿ＳＡＴＵＲＡＴＩＯＮ：ユーザ調整の彩度制御パラメータ、である。
【００８９】
＜Ａ−３．効果＞
この発明にかかる実施の形態１によれば、表示装置において、表示装置の前面に設けられ、画像を表示する表示面であるディスプレイ１００と、表示装置の背面に設けられ、背面における照度を計測する第１の計測手段である照度センサ２と、照度センサ２における計測結果に応じて、ディスプレイ１００に表示する画像の輝度制御をする第１の制御手段である制御手段１０１を備えることで、ディスプレイ１００の背面よりの入射光を計測し適応した輝度制御を行うことにより、観測者の眼の適応状態に対応した輝度制御が可能となる。
【００９０】
また、この発明にかかる実施の形態１によれば、表示装置において、表示装置の前面に設けられ、前面における照度を計測する第２の計測手段である照度センサ１をさらに備え、輝度制御手段は、照度センサ１、２の少なくとも一方における計測結果に応じて、ディスプレイ１００に表示する画像の輝度制御をすることで、表示装置の前面と背面に照度センサ１，２をそれぞれ設置し、照度センサ１，２をそれぞれ考慮することにより画面輝度を制御し、設置環境に対応した設定に対応した輝度制御を行うことにより、観測者の眼の適応状態に適応した輝度・画質制御を実現する。
【００９１】
また、この発明にかかる実施の形態１によれば、表示装置において、黒レベル制御手段は、照度センサ１、２の少なくとも一方における計測結果に応じて、ディスプレイ１００に表示する画像の黒レベル制御をすることで、表示装置の前面と背面に照度センサ１，２をそれぞれ設置し、主には背面に設置された照度センサ２により画面輝度を制御し、加えて、主に前面に設置された照度センサ１等によりディスプレイ１００の反射輝度に対応して黒レベルや画面輝度の補正を行うことが可能となる。
【００９２】
また、この発明にかかる実施の形態１によれば、表示装置において、画像の平均輝度階調レベルを計測する手段であるＡＰＬ計測手段８をさらに備え、輝度計算手段は、平均輝度階調レベルに応じて、ディスプレイ１００に表示する画像の輝度制御をすることで、ＡＰＬをも考慮した、観測者の眼の適応状態に適応した輝度・画質制御を実現できる。
【００９３】
また、この発明にかかる実施の形態１によれば、表示装置において、平均輝度階調レベルに応じた第１の制御値であるバックライト輝度補正パラメータの設定に用いる第１および第２の参照テーブルである明環境ＡＰＬ参照テーブル９ａおよび暗環境ＡＰＬ参照テーブル９ｂをさらに備え、明環境ＡＰＬ参照テーブル９ａおよび暗環境ＡＰＬ参照テーブル９ｂは、第１および第２の計測手段である照度センサ１および２の少なくとも一方の計測結果に応じて選択され、第１の制御手段である制御手段１０１における、輝度制御手段は、選択された明環境ＡＰＬ参照テーブル９ａおよび暗環境ＡＰＬ参照テーブル９ｂにおいて設定されたバックライト輝度補正パラメータにも応じて、表示面であるディスプレイ１００に表示する画像の輝度制御をすることで、様々な環境に対応し、観測者の眼の適応状態に適応した輝度・彩度・画質制御を実現できる。
【００９４】
また、この発明にかかる実施の形態１によれば、表示装置において、第１の制御手段である制御手段１０１における、彩度制御手段は、照度センサ１、２の少なくとも一方における計測結果に応じて、ディスプレイ１００に表示する画像の彩度制御をすることで、様々な環境に対応し、観測者の眼の適応状態に適応した輝度・彩度・画質制御を実現できる。
【００９５】
また、この発明にかかる実施の形態１によれば、表示装置において、輝度制御、黒レベル制御、彩度制御の少なくともいずれかの制御での第２の制御値であるバックライト輝度補正係数１，２、黒レベル補正係数１，２、彩度補正係数１，２の設定に用いる第３の参照テーブルである輝度メイン参照テーブル５ａ、黒レベルメイン参照テーブル６ａ、彩度メイン参照テーブル７ａおよび第４の参照テーブルである輝度サブ参照テーブル５ｂ、黒レベルサブ参照テーブル６ｂ、彩度メインサブ参照テーブル７ｂをさらに備え、照度センサ１，２は、参照テーブル５ａ、６ａ、７ａおよび参照テーブル５ｂ、６ｂ、７ｂに交換可能に対応づけられ、第１の制御手段である制御手段１０１は、参照テーブル５ａ、６ａ、７ａおよび参照テーブル５ｂ、６ｂ、７ｂにおいて設定されたバックライト輝度補正係数１，２、黒レベル補正係数１，２、彩度補正係数１，２により輝度制御、黒レベル制御、彩度制御の少なくともいずれかの制御をすることで、様々な環境に対応し、観測者の眼の適応状態に適応した輝度・彩度・画質制御を実現できる。
【００９６】
また、この発明にかかる実施の形態１によれば、表示装置において、第２の計測手段である照度センサ２での計測結果から、前面における反射輝度を計算する計算手段３をさらに備え、第１の制御手段である制御手段１０１は、照度センサ１、計算手段３の少なくとも一方の結果に応じて、ディスプレイ１００に表示する画像の輝度制御、黒レベル制御、彩度制御をすることで、様々な環境に対応し、観測者の眼の適応状態に適応した輝度・彩度・画質制御を実現できる。
【００９７】
また、この発明にかかる実施の形態１によれば、表示装置において、照度センサ１、２の少なくとも一方の機能の有効、無効を切り替える第１の切り替え手段としての前面照度センサ１のＯＮ／ＯＦＦ切り替え５３，背面照度センサ２のＯＮ／ＯＦＦ切り替え５４をさらに備えることで、様々な環境に対応してセンサを使い分け、観測者の眼の適応状態に適応した輝度・画質制御を実現できる。
【００９８】
また、この発明にかかる実施の形態１によれば、表示装置において、第１の切り替え手段である前面照度センサ１のＯＮ／ＯＦＦ切り替え５３、背面照度センサ２のＯＮ／ＯＦＦ切り替え５４において無効とした照度センサ１，２に対応する制御値であるバックライト輝度補正係数１，２、黒レベル補正係数１，２、彩度補正係数１，２は、予め定めた固定値とすることで、様々な環境に対応してセンサを使い分け、観測者の眼の適応状態に適応した輝度・画質制御を実現できる。
【００９９】
また、この発明にかかる実施の形態１によれば、表示装置において、ディスプレイ１００と外部の照明源との位置関係を示す情報を設定する設定手段としての外光設定５１，距離設定５２をさらに備えることで、様々な環境に対応しセンサの寄与等を変化させ、観測者の眼の適応状態に適応した輝度・画質制御を実現できる。
【０１００】
また、この発明にかかる実施の形態１によれば、表示装置において、外光設定５１、距離設定５２は、ディスプレイ１００と外壁との距離を示す情報をも設定することで、様々な環境に対応し、観測者の眼の適応状態に適応した輝度・画質制御を実現できる。
【０１０１】
また、この発明にかかる実施の形態１によれば、表示装置において、ディスプレイ１００と外部の照明源との位置関係と、ディスプレイ１００と外壁との距離に応じて、輝度制御手段、黒レベル制御手段、彩度制御手段における動作モード、メイン、サブ参照テーブル（５ａ，ｂ〜７ａ，ｂ）の制御設定を切り替える第２の切り替え手段としての切り替え手段４をさらに備えることで、様々な環境に対応し適した参照テーブルに切り替え、観測者の眼の適応状態に適応した輝度・画質制御を実現できる。
【０１０２】
また、この発明にかかる実施の形態１によれば、表示装置において、前述の制御設定が、照度センサ１，２と、第３の参照テーブルである参照テーブル５ａ、６ａ、７ａおよび第４の参照テーブルである参照テーブル５ｂ、６ｂ、７ｂとの対応を切り替える制御設定であることで、様々な環境に対応し適した参照テーブルに切り替え、観測者の眼の適応状態に適応した輝度・画質制御を実現できる。
【０１０３】
＜Ｂ．実施の形態２＞
＜Ｂ−１．構成＞
本実施の形態２における実施は、実施の形態１における表示装置を複数備える、表示システムとしてのものである。個々の表示装置は、実施の形態１における表示装置と同様、外光補正処理が可能であり、また、ユーザは、後述するようにそのうちの一つを選び、ＭＡＳＴＥＲとする。その場合、他の装置をＳＬＡＶＥとし、複数の表示装置はお互いにネットワーク通信可能なものとする。
【０１０４】
＜Ｂ−２．動作＞
図１６は本実施の形態２の表示装置を複数個接続した場合の外光補正群制御処理の手順を示すフローチャートである。
【０１０５】
先ずユーザは、複数の表示装置の一つを選び、図１５に示すＯＳＤメニュー６０におけるＭＯＤＥ選択６１で、ＭＡＳＴＥＲ（複数の表示装置における１つの表示装置）を選択する。このときのＭＯＮＩＴＯＲ  ＩＤはデフォルト値１とする（ステップＳＴ１６−１）。次に他の表示装置には全てＳＬＡＶＥを選択し、それぞれの表示装置に別個のＩＤ（ＭＡＳＴＥＲに設定したもの以外）を設定する（ステップＳＴ１６−２）。
【０１０６】
次に、ステップＳＴ１６−３にて、ＭＡＳＴＥＲの表示装置より、他のＳＬＡＶＥの表示装置へ図５にて設定の各動作設定パラメータを全て配信し、設定をコピーする。
【０１０７】
次に、ステップＳＴ１６−４にてＭＡＳＴＥＲの表示装置より、他のＳＬＡＶＥの表示装置へ輝度補正モードの切り替えコマンドを送り、他の表示装置を“ＲＥＭＯＴＥ”モードとする。ＲＥＭＯＴＥモードと設定された表示装置は、ＭＡＳＴＥＲより送信される前面および背面のデータの計測結果を、内蔵センサの計測結果の代わりに使う。
【０１０８】
次に、ＭＡＳＴＥＲより全ＳＬＡＶＥへ前面および背面の照度センサ１，２のデータの計測結果を図示しない配信手段により配信する（ステップＳＴ１６−５）。
【０１０９】
ＭＡＳＴＥＲ側よりＳＬＡＶＥへ輝度補正モード切り替え（ＲＥＭＯＴＥ−＞ＬＯＣＡＬ）が行われるまでは、ステップＳＴ１６−５を繰り返す（ステップＳＴ１６−６）。
【０１１０】
図１７は実施の形態１における表示装置を複数個接続した場合の外光補正群制御処理のＭＡＳＴＥＲ指定された表示装置の動作手順を示すフローチャートである。
【０１１１】
図において、ユーザによりＭＡＳＴＥＲと指定された表示装置は、接続された他の全ての表示装置の通信のモードをＳＬＡＶＥへと設定する（ステップＳＴ１７−１）。
【０１１２】
次に、接続された他の全ての表示装置に対し、輝度補正制御のモードをＬＯＣＡＬからＲＥＭＯＴＥへ切り替えるコマンドを送信する（ステップＳＴ１７−２）。
【０１１３】
次に、自らの前面の照度センサ１の計測データおよび背面の照度センサ２の計測データ、ＡＰＬ値をそれぞれ読む（ステップＳＴ１７−３）。
【０１１４】
次に、接続された他の全ての表示装置に対し、ステップＳＴ１７−３にて読み出したセンサの計測データ、ＡＰＬ値に加え、関連制御設定パラメータ（光源位置、壁面との距離、センサのＯＮ／ＯＦＦ設定等）を配信する（ステップＳＴ１７−４）。
【０１１５】
次に、自らのセンサの計測結果に基づき、前記のような外光補正処理を行う（ステップＳＴ１７−５）。
【０１１６】
次に、ＯＳＤ設定または通信コマンド経由にて通信モードのＭＡＳＴＥＲ指定が解除されているか否かを確認し、解除されていない場合はステップＳＴ１７−３に戻る（ステップＳＴ１７−６）。
【０１１７】
上記ステップＳＴ１７−６にてＭＡＳＴＥＲ指定が解除されている場合は、接続された他の全ての表示装置に対し、輝度補正制御のモードをＲＥＭＯＴＥからへＬＯＣＡＬ切り替えるコマンドを送信する（ステップＳＴ１７−７）。
【０１１８】
上記のように、本実施の形態２におけるＭＡＳＴＥＲ指定された表示装置は、接続された全ての他の表示装置が等しい条件で動作するように作用する。
【０１１９】
なお、この図に示す動作において、他の表示装置における前面、背面の照度センサ１，２の計測結果を、ＭＡＳＴＥＲ指定された表示装置における図示しない取得手段において取得し、平均化等の処置を行った後に、その結果に基づいて、ＭＡＳＴＥＲ指定された表示装置が、他の表示装置に対してコマンド送信する方法も可能である。その場合には、後述するＳＬＡＶＥ指定の表示装置の動作において、照度センサにおける測定結果を、ＭＡＳＴＥＲ指定の表示装置に対し送信する動作が必要となる。
【０１２０】
図１８は本実施の形態２の表示装置を複数個接続した場合の外光補正群制御処理のＳＬＡＶＥ指定された表示装置の動作手順を示すフローチャートである。
【０１２１】
図において、上記ステップＳＴ１７−４にてＭＡＳＴＥＲ指定された表示装置から配信されるセンサデータ、ＡＰＬデータ他設定パラメータ情報を受信する（ステップＳＴ１８−１）。
【０１２２】
次に、上記ステップＳＴ１８−１にて受信したパラメータに基づき、図示しない第２の制御手段としての制御部において、外光補正処理を行う（ステップＳＴ１８−２）。なお、ＭＡＳＴＥＲ指定の表示装置が、前述の取得手段を備えている場合には、ＭＡＳＴＥＲ指定の表示装置ＭＡＳＴＥＲ指定の表示装置に対し、センサデータを送信し、ＭＡＳＴＥＲ指定の表示装置と、他の表示装置とにおける第１、第２の計測手段にて計測したセンサデータ、ＡＰＬデータ他設定パラメータ情報に基づいた外光補正処理を、図示しない第３の制御手段としての制御部において行うものとする。
【０１２３】
また、前述の第２の制御手段としての制御部、第３の制御手段としての制御部は、第１の制御手段である制御手段１０１が有する機能（輝度制御手段、黒レベル制御手段、彩度制御手段等）によって外光補正処理を行うものである。
【０１２４】
次に、通信コマンドにより輝度補正制御のモードがＲＥＭＯＴＥからＬＯＣＡＬに指定解除されていないか確認し、ＲＥＭＯＴＥモードが解除されていない場合は、ステップＳＴ１８−１に戻る（ステップＳＴ１８−３）。
【０１２５】
ステップＳＴ１８−３にてＲＥＭＯＴＥモードが解除されている場合は、処理を終了する。
【０１２６】
以上が実施の形態２における表示装置の動作である。
【０１２７】
＜Ｂ−３．効果＞
また、この発明にかかる実施の形態２によれば、表示システムにおいて、表示装置を複数備える表示システムにおいて、複数の表示装置における１つの表示装置としてのＭＡＳＴＥＲ指定の表示装置は、ＭＡＳＴＥＲ指定の表示装置の少なくとも照度センサ１、または照度センサ１，２における照度の計測結果を、他の表示装置としてのＳＬＡＶＥ指定の表示装置に配信する配信手段を有し、複数の表示装置におけるＳＬＡＶＥ指定の表示装置は、配信された照度の計測結果に応じて、ＳＬＡＶＥ指定の表示装置のディスプレイ１００に表示する画像の輝度制御をする第２の制御手段を有することで、通信機能を用いて、特定の表示装置の光センサの計測データや各設定情報を他の装置に配信し、他の装置は配信された情報に基づき外光補正動作を行うことが可能となり、設置環境に対応した設定に対応した輝度制御を行うことにより、観測者の眼の適応状態に適応した輝度・画質制御を実現する。また、異なる設置環境それぞれの場合に最適な輝度制御を行うことができる。また、複数の表示装置群により単一の画面を構成する場合においても、単一の表示装置の光計測結果や各種設定内容を群内にて共有し、画面内にてムラの無い輝度制御を実現することが出来る。
【０１２８】
また、この発明にかかる実施の形態２によれば、表示システムにおいて、表示装置を複数備える表示システムにおいて、複数の表示装置における１つの表示装置としてのＭＡＳＴＥＲ指定の表示装置は、複数の表示装置における他の表示装置としてのＳＬＡＶＥ指定の表示装置の少なくとも照度センサ１、または照度センサ１，２における照度の計測結果を取得する図示しない取得手段と、取得手段において取得した計測結果と、ＭＡＳＴＥＲ指定の表示装置における照度センサ１，２の計測結果とに応じて、複数の表示装置のディスプレイ１００に表示する画像の輝度制御をする図示しない第３の制御手段を有することで、通信機能を用いて、特定の表示装置の光センサの計測データや各設定情報を他の装置から受信し、また配信し、それぞれの装置は配信された情報に基づき外光補正動作を行うことが可能となり、設置環境に対応した設定に対応した輝度制御を行うことにより、観測者の眼の適応状態に適応した輝度・画質制御を実現する。また、異なる設置環境それぞれの場合に最適な輝度制御を行うことができる。また、複数の表示装置群により単一の画面を構成する場合においても、複数の表示装置の光計測結果や各種設定内容を群内にて統一して使用することにより、画面内にてムラの無い輝度制御を実現することが出来る。
【０１２９】
＜Ｃ．実施の形態３＞
＜Ｃ−１．構成＞
図１９はこの発明の他の実施の形態３の構成を示す構成図である。実施の形態１の構成との違いは、黒レベル補正値の変更を行う代わりにガンマ補正値の変更を行う箇所であり、他の構成および動作については実施の形態１と同様である。
【０１３０】
尚、上記実施の形態１〜３では、画質制御のパラメータとして、輝度、黒レベル、ガンマ、彩度を例として挙げているが、シャープネス等の他のパラメータを対象としても良い。
【０１３１】
ガンマメイン参照テーブル１８ａおよびガンマサブ参照テーブル１８ｂは前面または背面の輝度または照度値より表示のガンマ補正係数を参照するための参照テーブルであり、動作設定の状態に応じて照度センサ１，２との対応が変化する。
【０１３２】
ガンマ計算手段１９はガンマメイン参照テーブル１８ａおよびガンマサブ参照テーブル１８ｂにて求められたガンマ補正係数１，２を掛け加算し、ガンマ補正値を求めるための計算手段である。
【０１３３】
＜Ｃ−２．動作＞
前面、背面に設置された照度センサ１，２の測定結果に基づいて、各参照テーブルを用いて輝度等の制御を行う。
【０１３４】
実施の形態１における黒レベルの参照テーブル６ａ、６ｂを用いて補正係数（１，２）を求めた方法と同様の方法で、ガンマ補正係数１，２を求め、ガンマ補正値を求める。詳細については、実施の形態１に示すものと同様であるので、説明を省略する。
【０１３５】
＜Ｃ−３．効果＞
この発明にかかる実施の形態３によれば、表示装置において、第１の制御手段としての制御手段１０１における、ガンマ制御手段は、照度センサ１，２の少なくとも一方における計測結果に応じて、ディスプレイ１００に表示する画像のガンマ制御をすることで、表示装置の前面と背面に照度センサ１，２をそれぞれ設置し、主に背面に設置された照度センサ２により画面輝度を制御し、加えて、ガンマ制御を行うことが可能となる。よって、照度環境に適した、輝度、ガンマ制御が可能となる。
【０１３６】
また、この発明にかかる実施の形態３によれば、表示装置において、ガンマ制御での第２の制御値であるガンマ補正係数１，２の設定に用いる第３の参照テーブルであるガンマメイン参照テーブル１８ａ、および第４の参照テーブルであるガンマサブ参照テーブル１８ｂをさらに備え、照度センサ１，２は、参照テーブル１８ａおよび参照テーブル１８ｂに交換可能に参照され、第１の制御手段である制御手段１０１における、ガンマ制御手段は、参照テーブル１８ａおよび参照テーブル１８ｂにおいて設定されたガンマ補正係数１，２によりガンマ制御をすることで、様々な環境に対応し、観測者の眼の適応状態に適応した輝度・彩度・画質制御を実現できる。
【０１３７】
また、この発明にかかる実施の形態３によれば、表示装置において、第２の計測手段である照度センサ２での計測結果から、前面における反射輝度を計算する計算手段３をさらに備え、第１の制御手段である制御手段１０１における、ガンマ制御手段は、照度センサ１、計算手段３の少なくとも一方の結果に応じて、ディスプレイ１００に表示する画像のガンマ制御をすることで、様々な環境に対応し、観測者の眼の適応状態に適応した輝度・彩度・画質制御を実現できる。
【産業上の利用可能性】
【０１３８】
本発明の活用例として、公共用途に用いられる大型表示装置（パブリックディスプレイ）に加え、車載用の表示装置（カーナビゲーションシステム）、家庭用のＴＶ受信機等にも応用可能である。
【符号の説明】
【０１３９】
１，２  照度センサ、１ａ，２ａ  センサ部、１ｂ，２ｂ  変換部、３  計算手段、４  切り替え手段、５ａ  輝度メイン参照テーブル、５ｂ  輝度サブ参照テーブル、６ａ  黒レベルメイン参照テーブル、６ｂ  黒レベルサブ参照テーブル、７ａ  彩度メイン参照テーブル、７ｂ  彩度サブ参照テーブル、８  ＡＰＬ計測手段、９ａ  明環境ＡＰＬ参照テーブル、９ｂ  暗環境ＡＰＬ参照テーブル、１０  選択手段、１１，１４，１５  輝度計算手段、１２，１６  黒レベル計算手段、１３，１７  彩度計算手段、１８ａ  ガンマメイン参照テーブル、１８ｂ  ガンマサブ参照テーブル、１９，２０  ガンマ計算手段、４１  液晶パネル、４２  バックライトモジュール、４３  インバータ回路、４４  電源回路、４５  制御回路、５０，６０  ＯＳＤメニュー、５１  外光設定、５２  距離設定、５３  前面照度センサ１のＯＮ／ＯＦＦ切り替え、５４  背面照度センサ２のＯＮ／ＯＦＦ切り替え、５５  彩度補正のＯＮ／ＯＦＦ切り替え、５６  ＡＰＬ切り替え、６１  モード選択、１００  ディスプレイ、１０１  制御手段。
【図１】
2010181763.tif 000003
【図２】
2010181763.tif 000004
【図３】
2010181763.tif 000005
【図４】
2010181763.tif 000006
【図５】
2010181763.tif 000007
【図６】
2010181763.tif 000008
【図７】
2010181763.tif 000009
【図８】
2010181763.tif 000010
【図９】
2010181763.tif 000011
【図１０】
2010181763.tif 000012
【図１１】
2010181763.tif 000013
【図１２】
2010181763.tif 000014
【図１３】
2010181763.tif 000015
【図１４】
2010181763.tif 000016
【図１５】
2010181763.tif 000017
【図１６】
2010181763.tif 000018
【図１７】
2010181763.tif 000019
【図１８】
2010181763.tif 000020
【図１９】
2010181763.tif 000021
【図２０】
2010181763.tif 000022
【図２１】
2010181763.tif 000023
【図２２】
2010181763.tif 000024